(57)【要約】      （修正有）【課題】消音性能を向上し、自然な吹奏感覚が得られるとともに軽量で十分な強度を確保でき、しかも、木管楽器を収容するに合理的な形状となることから自然な吹奏感覚で演奏を楽しむことができる木管楽器用消音器を提供する。【解決手段】長手方向で二分割する構造により開閉可能となるようにした筐体の内面に吸音層を配設するとともに、筐体に演奏者による木管楽器のキー操作が可能となるように窓孔を設ける。二分割された筐体は硬質合成樹脂材の左シェルと右シェルからなり、この左右シェルの板厚を２ｍｍ〜４ｍｍにするとともに、吸音層の厚さをシェルの板厚の３倍以上とし、左右シェルの少なくともいずれか一方の胴部には木管楽器のネックを挟持したネック支持台を取付けるためのボス部が一体成形されている。【選択図】図１
0003161513.tif 000002
【実用新案登録請求の範囲】
【請求項１】
請求項１記載の考案では、内部空間内に収容する木管楽器の全ての音孔を内包できるようにし、且つ、長手方向で二分割する構造により開閉可能となるようにした筐体の内面に吸音層を配設するとともに、前記筐体に演奏者による前記木管楽器のキー操作が可能となるように窓孔を設けた木管楽器用消音器であって、
二分割された前記筐体は硬質合成樹脂材の左シェルと右シェルからなり、この左右シェルの板厚を２ｍｍ〜４ｍｍにするとともに、前記吸音層の厚さを前記シェルの板厚の３倍以上とし、前記左右シェルの少なくともいずれか一方の胴部には前記木管楽器のネックを挟持したネック支持台を取付けるためのボス部が一体成形されていることを特徴とする木管楽器用消音器。
【考案の詳細な説明】
【技術分野】
【０００１】  この考案は、木管楽器用消音器に関するものである。
【背景技術】
【０００２】  一般に金管楽器のように先端のベルのみから吹奏音が発生する管楽器では、このベルに消音器を装着することで消音が可能となる。ところが、クラリネット属、サクソフォーン属、オーボエ属などに分類されるような木管楽器では、管体に多くの音孔が形成されており、この音孔の全てから吹奏音が発生するため、ベルに消音器を装着したのみで消音することは不可能である。【０００３】  木管楽器の消音を試みる最も簡便な方法は、木管楽器の管体の内部に柔らかい布や紙などを挿入して弱音効果を得るようにするものであるが、消音率が十分でなく、鳴きむらが発生したり息苦しいなどの問題があった。なお、楽器の分野における消音器、弱音器、ミュートなどの呼び方については、厳密に区別されるものではない。【０００４】  木管楽器の消音に関するこのような問題から、円筒状に形成した容器にサクソフォンを収容し、消音効果を得ようとするものが提案されている（例えば、特許文献１）。これは円筒状の発泡スチロールをゴム製遮音シートで巻いた筒体を形成し、この内部にサクソフォンを収容するようにしたため各部に隙間が多く生じる構造となり、この隙間から吹奏音が大きい音量で漏れ出すという重大な欠点がある。しかも、装置が巨大となって大きな重量となり、何よりも通常の姿勢で演奏できないという問題がある。
【先行技術文献】
【特許文献１】特開平０６−２１４５５９号公報
【考案の開示】
【考案が解決しようとする課題】
【０００５】  このように、従来の木管楽器用消音器では、消音器内部で発生した吹奏音が消音器外部へ大きく漏れ出てしまう構造であるため消音効果を十分に得ることができない。また、消音器内部の空間を確保すると大型化することになり、軽量化できなく十分な強度も得られない。且つ、消音器内部の空間の適正な位置に楽器を固定できず、音程や発音が不安定となってしまい自然な吹奏感覚が得られない。
この考案はこのような従来の問題に鑑みなされたもので、消音性能を向上し、自然な吹奏感覚が得られ、さらに、消音器本体を軽量にしても強度を低下することがない新規なる木管楽器用消音器を提供することを目的とするものである。
【課題を解決するための手段】
【０００６】  そこで、この考案は以下に述べる手段により上記課題を解決するようにした。即ち、請求項１記載の考案では、内部空間内に収容する木管楽器の全ての音孔を内包できるようにし、且つ、長手方向で二分割する構造により開閉可能となるようにした筐体の内面に吸音層を配設するとともに、前記筐体に演奏者による前記木管楽器のキー操作が可能となるように窓孔を設けた木管楽器用消音器であって、
二分割された前記筐体は硬質合成樹脂材の左シェルと右シェルからなり、この左右シェルの板厚を２ｍｍ〜４ｍｍにするとともに、前記吸音層の厚さを前記シェルの板厚の３倍以上とし、前記左右シェルの少なくともいずれか一方の胴部には前記木管楽器のネックを挟持したネック支持台を取付けるためのボス部が一体成形されている。
【考案の効果】
【０００７】  この考案の木管楽器用消音器によれば、十分な消音性能が得られるとともに軽量で十分な強度を確保でき、しかも、木管楽器を収容するに合理的な形状となることから自然な吹奏感覚で演奏を楽しむことができる。
【図面の簡単な説明】
【０００８】
【図１】この考案を実施する木管楽器用消音器の側面図である。
【図２】図１の木管楽器用消音器の断面図である。
【図３】この考案の木管楽器用消音器の側面図である。
【図４】図３の木管楽器用消音器の側面図である。
【考案を実施するための形態】
【０００９】  図１は、この考案を実施する木管楽器用消音器であり、演奏者が演奏姿勢をとった場合の右手側の側面を示すもので、同図におけるＡ−Ａ線の断面を図２に示す。この考案の構成において主体となる筐体は分割構造となっており、右シェル１と左シェル１２は２ｍｍ〜４ｍｍの板厚からなり、この右シェル１と左シェル１２が蝶番４により連結されており、したがって、この蝶番４を支点にして右シェル１と左シェル１２に拡開し、内部空間を露呈させることができる。
【００１０】  符号５は、パッチン錠であり、右シェル１と左シェル１２の開口を閉止したとき施錠の機能を果たす。なお、符号１７は右シェル１の開口端に配設された凸パッキンであり、符号１８は左シェル１２の開口端に配設された凹パッキンを示す。これにより、右シェル１と左シェル１２の開口を閉止したとき、凸パッキン１７と凹パッキン１８が密接して気密性が維持されることになる。
【００１１】  符号２は、右手挿入用の窓孔部材であり、符号１３は左手挿入用の窓孔部材を示す。この窓孔部材２、１３は、例えば、伸縮性のあるエチレン・プロピレン・ジエンゴム（ＥＰＤＭ）のような素材で成形することにより、窓孔から挿入した左右の前腕の外周に窓孔部材２、１３と密着するため、収容した木管楽器のキーを操作しても内部空間の密閉状態を維持することができる。
【００１２】  符号３は、右シェル１と左シェル１２で構成された筐体を吊支するためのストラップリングであり、収容する木管楽器本体に近い位置となるようにして筐体の後側面に配設する。符号６は収容した木管楽器であり、この木管楽器をアルトサクソフォンとする場合、右シェル１と左シェル１２で構成される筐体の高さＨを７２０ｍｍ、幅Ｄを２４０ｍｍ、奥行きＷを３２０ｍｍとすることにより、木管楽器内部の定在波に影響を及ぼさないものとすることができる。
【００１３】  符号１１は、ネックパッキンであり、木管楽器６を収容して右シェル１と左シェル１２を閉止したとき、木管楽器６のネックがこのネックパッキン１１に挟まれ、この部分を気密状態とすることができる。そして、ネックパッキン１１から外部へ木管楽器６のマウスピース７、リード８、リガチャー９が露呈し、吹奏が可能となる。なお、符号１０は木管楽器６のネック部分の最上部の音孔を示すもので、このことから、木管楽器６の全ての音孔が消音器の内部空間に内包されることになる。
【００１４】  符号１４は、右シェル吸音層であり、符号１５は、左シェル吸音層を示す。この右シェル吸音層１４および左シェル吸音層１５は、前記左右シェル１２，１の板厚の３倍以上の厚さを有し、吸湿および吸水性に優れた繊維質などの素材を用いるのが好ましい。なお、右シェル吸音層１４および左シェル吸音層１５は、面ファスナー１９により各々右シェル１および左シェル１２に取り付けられる。符号１６はネック支持台であり、収容した木管楽器６のネック２０を挟持するように構成されており、このネック支持台１６は左シェル１２の胴部に一体に成形したボス部１６０に取付けられことにより、前記木管楽器６を消音器の内部空間のほぼ中央に安定させて固定することができる。なお、前記ボス部１６０は右シェル１の胴部に一体に成形してもよい。
【００１５】  このように構成される木管楽器用消音器においては、木管楽器内部の定在波の終端はほぼ音孔の位置とみなすことができ、低音域の音ほど波長が長くなるため、その音孔の開口端の周囲には十分な空間が必要となる。仮に、その空間が不十分である場合は、音程および発音に悪影響を及ぼす結果となるため、右シェル１および左シェル１２の成形形状を配慮する必要がある。また、消音器の密閉度が高い場合、演奏者が吹き込んだ呼気の逃げ道を失い、息苦しさを演奏者に与えることがある。このような場合のため、通気孔２１を備えるようにすればよいが、この通気孔２１の大きさ、位置および個数は、消音効率と息苦しさを考慮し、適宜設定すればよい。
【００１６】  以上の説明は、この考案の基本的構成を示すもので、閉ざされた空間である消音器内部では、音孔から放射された音波は近傍の消音器内壁で反射し、その反射波が木管楽器内部の定在波に悪影響を及ぼす場合がある。したがって、木管楽器の位置が消音器内部で移動してしまう構造では、音が安定しないことになる。そこで、ネック支持台１６をボス部１６０に取付け、木管楽器を筐体内部の空間のほぼ中央に固定して木管楽器の収容位置を一定に保つようにすることが望ましい。
【００１７】  また、音波は硬い壁ほど反射波が強くなり、右シェル吸音層１４および左シェル吸音層１５に採用する素材の物性によっても音波の反射量や方向が影響される。したがって、消音器内部の音響空間形状を設定する場合は、木管楽器の構造や音域とともに右シェル吸音層１４および左シェル吸音層１５の素材の物性をも考慮しなくてはならない。つまり、木管楽器内部の定在波に悪影響を及ぼさない消音器の内部の音響空間形状は、諸条件を設定した上で求められる。
【００１８】  この考案の右シェル吸音層１４および左シェル吸音層１５は、前述したように反射波を抑える働きの他に重要な機能を備えている。第１に、吸音および右シェル１および左シェル１２の振動を抑えることにより消音効果を高めることができる。第２に、吸湿および吸水性が非常に高いものとして、演奏者の吹奏による呼気に含まれる水分を強力に吸収することにある。
【００１９】  演奏者による長時間の練習などで吸い取られた水分は、右シェル吸音層１４および左シェル吸音層１５に一旦吸収されるが、右シェル１と左シェル１２を拡開して内部空間を外気に晒せば、吸収された水分は放散され水分吸収能力を復元することができる。なお、吸湿にはポリアクリルレート系、吸水にはアクリル系繊維が好ましく、それらを混合したものが理想的な素材となる。また、この考案では、面ファスナー１９により右シェル吸音層１４および左シェル吸音層１５を着脱可能となるようにしたので、選択することが可能であり衛生状態を高く保つことができる。
【００２０】  つぎに、図３は、この考案を実施した例を示す木管楽器用消音器であり、右シェル１および左シェル１２による筐体の内部空間に発生した吹奏音をマイクロフォンで集音し、電気音響信号により演奏者が吹奏音を聴取できるようにしたものである。即ち、消音器の本来の機能は、外部空間に吹奏音が漏れ出さないようにするものであるが、これは演奏者が吹奏音を聴取できないことでもあり、練習効果に影響を及ぼす可能性がある。
【００２１】  そこで、図３および同図のＢ−Ｂ線の断面である図４に示す構成では、筐体の内部空間に発生した吹奏音をマイクロフォン２４で集音し、このマイクロフォン２４の電気音響信号を右シェル１の胴部に形成した凹部に配設した電子モジュール２２へ導き、イヤホーン２３により聴取可能となるようにした。なお、同構成では、右シェル１にマイク穴２６を形成し、このマイク孔２６にパッキン２５を介してマイクロフォン２４を臨ませ、固定ネジ２７で取り付けるようにしている。
【００２２】  以上のように構成したことから、筐体の内部空間で発生した吹奏音はマイクロフォン２４で集音され、電子モジュール２２で増幅された電気音響信号によりイヤホーン２３が駆動され、これにより演奏者が吹奏音を聴取することができる。なお、電子モジュール２２に残響回路や外部入出力端子を設ければ、カラオケ演奏やモニタリングなども可能となり、演奏の楽しさを増加することができる。
【産業上の利用可能性】
【００２３】  以上詳細に説明したように、この考案の木管楽器用消音器では、右シェルと左シェルにより構成される筐体を収容する木管楽器の外形形状に合わせて形成することにより、各種の木管楽器用消音器とすることができる。即ち、実施例として説明したサクソフォン属の木管楽器に限らず、クラリネット属あるいはオーボエ属などの木管楽器についてもその外形形状に合わせて筐体を形成することにより対応することができ、楽器産業上の利用範囲を大きなものとすることができる。
【符号の説明】
【００２４】１・・・・・・右シェル
２・・・・・・窓孔部材（右手挿入用）
３・・・・・・ストラップリング
４・・・・・・蝶番
５・・・・・・パッチン錠
６・・・・・・木管楽器（アルトサックス）
７・・・・・・マウスピース
８・・・・・・リード
９・・・・・・リガチャー
１０・・・・・音孔（最上部）
１１・・・・・ネックパッキン
１２・・・・・左シェル
１３・・・・・窓孔部材（左手挿入用）
１４・・・・・右シェル吸音層
１５・・・・・左シェル吸音層
１６・・・・・ネック支持台
１６０・・・・ボス部
１７・・・・・凸パッキン
１８・・・・・凹パッキン
１９・・・・・面ファスナー
２０・・・・・ネック
２１・・・・・通気孔
【図１】
0003161513.tif 000003
【図２】
0003161513.tif 000004
【図３】
0003161513.tif 000005
【図４】
0003161513.tif 000006
【手続補正書】
【提出日】平成22年5月12日(2010.5.12)
【手続補正１】
【補正対象書類名】実用新案登録請求の範囲
【補正対象項目名】全文
【補正方法】変更
【補正の内容】
【実用新案登録請求の範囲】
【請求項１】
内部空間内に収容する木管楽器の全ての音孔を内包できるようにし、且つ、長手方向で二分割する構造により開閉可能となるようにした筐体の内面に吸音層を配設するとともに、前記筐体に演奏者による前記木管楽器のキー操作が可能となるように窓孔を設けた木管楽器用消音器であって、
二分割された前記筐体は硬質合成樹脂材の左シェルと右シェルからなり、この左右シェルの板厚を２ｍｍ〜４ｍｍにするとともに、前記吸音層の厚さを前記シェルの板厚の３倍以上とし、前記左右シェルの少なくともいずれか一方の胴部には前記木管楽器のネックを挟持したネック支持台を取付けるためのボス部が一体成形されていることを特徴とする木管楽器用消音器。